(57)【要約】      （修正有）【課題】既設の扉錠と容易に交換することができ、駆動電動モータの過電流防止のためのデッドボルトの異常操作防止機構を内蔵した鎌付錠の提供。【解決手段】デッドボルトユニット６の外周部にスライダーユニット１０１を嵌め込み、デッドボルトユニット６内に設けたデッドバネ１０によりスライダーユニット１０１を正常位置に付勢する。鎌ユニット７をデッドボルトユニット６内に配置し、鎌作動軸１３で作動させる。施錠時にダルマキャーユニット１７によりスライダーユニット１０１を施錠方向に摺動させると、デッドバネ１０を介してデッドボルトユニット６も同方向に摺動する。デッドボルトユニット６が何らかの異常で作動できなかった場合はスライダーユニット１０１のみが移動し、デッドバネ１０がチャージされる。異常が解除されるとデッドバネ１０によってデッドボルトユニット６は施錠位置に移動する。【選択図】図６
2007070934.tif 000002
【特許請求の範囲】
【請求項１】
サムターンと連動するダルマギャーユニットによって、デッドボルトユニットの外周部に異常操作、動作時の対策用のスライダーユニットが摺動可能なように、抱合配置構成されたことを特長とする扉錠前のデッドボルト、スライダーユニット部分の構成。
【請求項２】
スライダーユニットは、コの字形に構成され、デッドボルトを挟み込み、デッドボルトユニットの異常操作、動作防止機構として作用するスライダーユニットを復元させるデッドバネとデッドバネ押えをデッド案内ピンで関連づけた事を特長とする請求項１記載のスライダーユニットの構成。
【発明の詳細な説明】
【技術分野】
【０００１】
本件発明は、電動、または手動で駆動する扉錠で、デッドボルトの作動異常で駆動用のモータ等に過電流が流れないようにする異常操作、動作の防止機構に関する。
【背景技術】
【０００２】
従来のこの種の電気錠においては、デッドボルト内に異常操作、動作防止機構を配置しているため、鎌機構が内蔵困難であった。たとえデッドボルト外に鎌機構を配置しても、その鎌機構を配置するためのスペースを必要とし、扉錠全体が大きくなり扉への、ことに、縦枠の狭い扉への設置が困難であった。また、デッドボルト内に機構を配置していたため、デッドボルトの断面形状面積が少なくてデッドボルトの太さが細くなり、こじ開けによるデッドボルトの変形強度にも問題があった。(例えば、特許文献１参照)  
【特許文献１】特許第３５３１９８５号
【発明の開示】
【発明が解決しようとする課題】
【０００３】
従来の構成においては、鎌部材を配置するためには、異常操作、動作防止機構が、鎌部材を配置阻害していた上述の様な問題点があり、従来寸法での防犯性能を高めた鎌付扉錠の提案が困難であった。
【０００４】
本件発明は、従来のサムターン、デッドボルトの位置寸法を変える事なく、異常操作、動作防止機構の配置構成の工夫で、鎌部材をデッドボルト内に配置し防犯性能を向上した鎌付扉錠に於けるデッドボルトのスライダー駆動機構を提供する事を目的としている。
【課題を解決するための手段】
【０００５】
本件発明は、上記目的を達成するために、従来のデッドボルトでは、異常操作、動作防止機構をデッドボルト内に配置していたのを、デッドボルト外周部に異常操作、動作の防止のスライダーユニットを配置しデッドボルト内には、スライダーユニットを正常位置に常に位置するように強制するバネを挿入する穴を設けている。この様に構成することで、デッドボルト内に鎌部材を配置可能とする空間が確保できる。
【発明の効果】
【０００６】
上述した様に、本件発明のデッドボルトとスライダーユニットの構成を採用することで、従来のサムターン、デッドボルトの寸法位置関係を保持して、従来の扉での錠前取り付け寸法の制約のまま、従来の扉に交換取り付け可能な、デッドボルト内に防犯性能向上のための、鎌部材の配置構成した錠前が実現できる。
【発明を実施するための最良の形態】
【０００７】
本件発明の実施の形態を図１〜図８により説明する。
【実施例】
【０００８】
図１において、扉錠のデッドボルトユニット６と鎌ユニット７は、シャーシ１に取り付けられたデッドボルト下案内部材２と、図示しないシャーシ蓋に取り付けられたデッドボルト上案内部材３で挟み込む様にして保持構成される。シャーシ１には、下ダルマギャー受け１６が溶着固定されて、ダルマギャーユニット１７が回動自在に嵌め込まれ、ダルマギャー押え１８で抜けない様に案内される。
【０００９】
スライダーユニット１０１は、下スライダー４、上スライダー５が、凹形状部分で溶着されて一体化している。そして凹形状部分の他端側は、スライダー支柱８を螺子９で、上下スライダー４，５に取り付けている。（図２）
【００１０】
デッドボルトユニット６には、デッドバネ１０を入れる。デッドボルトユニット６の外周部には、前述のスライダーユニット１０１を嵌め込み、デッドバネ押え１１を挿入して、スライダーユニット１０１とデットバネ押え１１をデッド案内ピン１２でデッドボルトユニット６に組み付けている。（図３）
【００１１】
デッドボルトユニット６には、鎌作動軸１３が加締められている。その鎌作動軸１３は、鎌ローラー１４に嵌まり、鎌ユニット７を円滑に作動させる。（図３）
【００１２】
鎌ローラー１４には、鎌ユニット７が組み込まれて、デッドボルトユニット６を形成している。（図３）
【００１３】
鎌ユニット７の根元部端の円形穴は、図示しないシャーシに嵌め込まれた円柱に嵌合して、デッドボルトユニット６の作動と関連して鎌ユニット７が回動する様に構成されている。（図１）
【００１４】
鎌ユニット７は、上鎌板、下鎌板、中間板で構成され、組立鋲で一体化されている。該ユニットの構成は、図面の様に構成する制約はなく、焼結合金等で一体構成することも可能である。
【００１５】
次に、動作について説明する。
【００１６】
図１または図４において、ダルマギア押え１８の上部に取り付けた、図示しないサムターンを時計方向に回動させると、サムターンに関連しているダルマギャーユニット１７がスライダーユニット１０１を施錠方向に、摺動する。つまり、図５においては、（イ）方向に摺動する。
【００１７】
スライダーユニット１０１の移動に伴って、デッドボルトバネ１０を介してデッドボルトユニット６も、同方向（イ）に摺動する。その時、デッドボルトユニット６は、図１のデッドボルト下案内部材２に設けられた先端案内壁２ａ、デッドボルト上案内部材３に設けられた、図示されていない先端案内壁、および、デッド案内ピン１２に嵌められたローラー１５が嵌っている図示のデッド案内ピンガイド２ｂによって直線移動する様に案内される。（図１、および図５）          
【００１８】
デッドボルトユニット６の移動にともなって、鎌作動軸１３と鎌ローラー１４は、鎌ユニット７を鎌ユニット７の根元部端の円形穴を回転中心として、反時計方向（ロ）に回動させ、図５の状態とする。
【００１９】
上記説明は、正常動作の場合であるが、図６において、もし、デッドボルトユニット６が何らかの異常で作動出来なかった場合は、図示しないサムターンの回動でダルマギャーユニット１７が時計方向に回動させられると、スライダーユニット１０１のみが矢印(イ)方向に移動し、デッドボルトバネ１０をチャージした図６、図８の状態となる。その状態から、デッドボルトユニットの異常が解除されると、デッドボルトバネ１０によってデッドボルトユニット６は、図５の、施錠位置に移動する。
【００２０】
電動駆動に関しては、図示していないが、ダルマギャーユニット１７に、駆動電動モータ側のギアが噛合い電動モータ駆動するように構成されている。
【００２１】
図５の施錠状態から、電動駆動あるいは、手動駆動でダルマギャーユニット１７が反時計方向に回動すると、スライダーユニットが矢印(イ)と反対方向に摺動し、同時にデッドボルトユニット６も同方向に連動、強制移動する。移動終端直前でデッドバネ押え１１が、シャーシ１の壁面に当り図４の開錠状態となる。
【００２２】
以上のように錠前を構成することで部品点数を少なくて占有空間を有効利用出来る。この事は、従来のサムターン、デッドボルトの寸法位置関係を崩す事なく、デッドボルト内に防犯性能向上のための、鎌部材の配置構成が余分な部品付加なしに達成可能となり、また、異常動作と動作を防止するスライダー機構もデッドボルト部に並置可能となる。そのため、組立コスト、部品コストの低減に役立つと共に防犯性能の向上に貢献する。
【図面の簡単な説明】
【００２３】
【図１】組立構成図
【図２】スライダーユニットの組立構成図
【図３】デッドボルトユニットとスライダーユニットの組立構成図
【図４】開錠状態の平面図
【図５】施錠状態の平面図
【図６】異常操作、動作状態の平面図
【図７】図４のＡ−Ａ断面図
【図８】図６のＢ−Ｂ断面図
【符号の説明】
【００２４】
１      シャーシ
２      デッドボルト下案内部材
２ａ    先端案内壁
２ｂ    デッド案内ピンガイド  
３      デッドボルト上案内部材
４      下スライダー
５      上スライダー
６      デッドボルトユニット
７      鎌ユニット
８      スライダー支柱
９      螺子
１０    デッドバネ
１１    デッドバネ押え
１２    デッド案内ピン
１３    鎌作動軸
１４    鎌ローラー
１５    ローラー
１６    下ダルマギャー受け
１７    ダルマギャーユニット
１８    ダルマギャー押え
１０１  スライダーユニット
【図１】
2007070934.tif 000003
【図２】
2007070934.tif 000004
【図３】
2007070934.tif 000005
【図４】
2007070934.tif 000006
【図５】
2007070934.tif 000007
【図６】
2007070934.tif 000008
【図７】
2007070934.tif 000009
【図８】
2007070934.tif 000010